(57)【要約】      （修正有）【課題】付箋本体に少なくとも１つの折り目が設けられることから、少量の接着剤層のみを塗布した状況で、当該少なくとも１つの折り目に沿った可撓部の屈曲を許容するとともに、可撓部の屈曲後に生じる浮き上がり現象が接着剤層まで広がるとの状況が回避される折り目付き付箋を提供する。【解決手段】付箋本体１１０は、貼付部１１２と、貼付部１１２に隣接して設けられる可撓部１１４を備え、接着剤層１２０が貼付部１１２に設けられ、少なくとも１つの折り目１３０が、貼付部１１２か、貼付部１１２と可撓部１１４の間か、或いは可撓部１１４における貼付部１１２と隣接する応力遮断領域１１４ｂ内に設けられる。これにより、可撓部１１４の湾曲張力が低下するため、貼付部１１２の粘着性が長期的且つ安定的となり、結果として貼付部１１２の接着剤層１２０の面積を縮小可能となる。【選択図】図３
2019051722.tif 000002
【特許請求の範囲】
【請求項１】
貼付部及び当該貼付部に隣接して設けられる可撓部を備える付箋本体、
当該貼付部に設けられる接着剤層、及び、
当該貼付部か、当該貼付部と当該可撓部の間か、或いは、当該可撓部における当該貼付部と隣接する応力遮断領域内に設けられる少なくとも１つの折り目、を含む、
折り目付き付箋。
【請求項２】
当該少なくとも１つの折り目が当該可撓部における当該応力遮断領域内に設けられる場合、当該可撓部における当該応力遮断領域は当該貼付部に隣接しており、且つ、当該応力遮断領域は１〜１０ｍｍの幅を有する請求項１記載の折り目付き付箋。
【請求項３】
当該接着剤層は、繰り返し貼付可能な接着剤層である請求項１記載の折り目付き付箋。
【請求項４】
当該可撓部は、筆記可能領域を備える請求項１記載の折り目付き付箋。
【請求項５】
当該貼付部に設けられる当該接着剤層が特定の幅を有するよう、当該少なくとも１つの折り目はプレス又はミシン目カッターにより形成される請求項１記載の折り目付き付箋。
【請求項６】
当該特定の幅は、３〜２０ｍｍの間である請求項５記載の折り目付き付箋。
【請求項７】
当該特定の幅は、５ｍｍ、７ｍｍ又は１０ｍｍである請求項５記載の折り目付き付箋。
【請求項８】
当該付箋本体は、捲り付箋、しおり付箋、小冊子付箋又はインデックス付箋である請求項１記載の折り目付き付箋。
【請求項９】
当該しおり付箋における当該貼付部は、当該接着剤層を介して書籍の表紙又は裏表紙に貼付可能であり、且つ、当該可撓部は、注記のために折り曲げられて当該書籍における特定ページへ差し込み可能である請求項８記載の折り目付き付箋。
【請求項１０】
当該しおり付箋における当該可撓部は、折り曲げ部分と差し込み部分を更に備えるとともに、当該折り曲げ部分と当該差し込み部分がそれぞれ異なる形状及び外観を有する請求項８記載の折り目付き付箋。
【発明の詳細な説明】
【技術分野】
【０００１】
本発明は折り目付き付箋に関し、より詳細には、少なくとも１つの折り目が設けられた折り目付き付箋に関する。
【背景技術】
【０００２】
付箋（又は糊付き付箋ともいう）は、各種書面へ簡単に貼り付け可能であり、重要事項をメモするために特定箇所に貼り付けられる、との利点から、発売以降、特に会社員や学生、更には付箋愛好者らといった多くの人々に愛用されてきた。
【０００３】
しかし、付箋は使用において繰り返し貼り付け可能との利点はあるものの、一般的な使用習慣によれば、取り出して使用する際に１枚の付箋を束になった付箋から取り外すべく、外力によって付箋本体の可撓部が下から上へ向かうよう、弱粘着性の用紙を引き上げねばならない。こうした動作により、付箋本体に湾曲張力が生じる結果、付箋が特定物の表面に貼り付けられた後に、接着剤層である貼付部又は接着剤層が設けられていない下部から、用紙の張力によって付箋本体が浮き上がったり撓ったりといった現象が生じる。結果、時間の経過とともに、このような浮き上がりや撓り現象が徐々に付箋全体に広がり、最終的には付箋が特定物の表面から剥離してしまう。
【０００４】
そこで、こうした剥離現象を回避すべく、多くの付箋メーカーでは、付箋１枚あたりの用紙の厚みを薄くしたり、接着剤層の設置領域を拡大したりといった方式で、前記撓りや剥離の問題を回避している。
【０００５】
しかし、残念なことに、このような付箋１枚あたりの用紙の厚みを薄くしたり、或いは接着剤層の設置領域を拡大したりといった方式の場合、上述の撓りや剥離現象を緩和することはできるものの、長時間使用しているうちに、やはり完全には上記のような問題を解消することはできなくなる。また、接着剤層の設置領域面積を拡大することで貼付効果を高める場合には、より直接的に付箋のコスト増を招いてしまう。
【０００６】
そのほか、市販の付箋では粘着効果を得るために、接着剤層の設置幅は一般的に１２ｍｍを下回らないか、もしくは、少なくとも付箋本体面積の１５％以上を占めることが求められる。結果、メモや記録に用いる場合、広面積の接着剤層幅が往々にして貼付対象物表面におけるその他の情報を覆い隠すことになるが、付箋を捲って閲読することは容易ではない。また、付箋への記録事項が長すぎる場合、付箋を捲って両面に記録することも容易ではない。
【０００７】
以上に鑑みて、上述した用紙の撓り及び剥離の問題を効果的に回避し、特定物の表面に対する付箋の貼付寿命を長期化するとともに、コストダウン及び多元的使用が可能な折り目付き付箋を提供することが、業界において早急に解決すべき課題となっている。
【発明の概要】
【発明が解決しようとする課題】
【０００８】
本発明は、付箋本体に少なくとも１つの折り目が設けられることから、付箋を１枚引き上げて使用する際に、用紙を引き上げるための力が折り目を通過する関係上、引っ張り時の張力が緩和され、用紙の湾曲の可能性が低下する折り目付き付箋を提供することを１つの目的とする。
また、付箋を貼付して使用している間に可撓部の隅部から撓り現象が現れた場合、当該撓りの力は少なくとも１つの折り目によって遮断され、貼付部にまで広がることがない。よって、長時間使用しているうちに付箋が特定物の表面から剥離する現象が回避される。
【０００９】
本発明は、付箋本体に少なくとも１つの折り目が設けられることから、少量の接着剤層のみを塗布した状況で、当該少なくとも１つの折り目に沿った可撓部の屈曲を許容するとともに、可撓部の屈曲後に生じる浮き上がり現象が接着剤層まで広がるとの状況が回避される折り目付き付箋を提供することをもう１つの目的とする。
【００１０】
本発明は、付箋本体の少なくとも１つの折り目がミシン目カッターにより形成されることから、（１）谷折りが容易、（２）付箋本体の貼付部を残したまま付箋本体の可撓部を引き剥がしやすい、（３）少なくとも１つの折り目に沿って折り曲げ可能なため、付箋本体の可撓部がより安定的な捲り付箋としての用途を備える、等の使用方式が可能な折り目付き付箋を提供することをその他の目的とする。
【００１１】
即ち、本発明の折り目付き付箋には、以下のような利点がある。
（１）可撓部の湾曲張力が低下し、貼付部の粘着性が長期的且つ安定的に保たれる効果が得られる。
（２）接着ラインの使用面積が縮小するにもかかわらず、依然として付箋の粘着性が保たれる（現在市販されている付箋の場合、貼付部の幅が約１２〜２０ｍｍ程度でなければ効果的な粘着が不可能なのに対し、本発明の折り目を用いた製造法によれば、貼付部の幅を３ｍｍまで縮小しても粘着性と安定性を維持可能となる）。
（３）折り目を追加する製造法によれば、付箋は谷折りが容易である機能を備えることになり、可撓部を捲ったり両面を使用したりするのにいっそう便利となる。更に、貼付部が縮小されるため、裏面可撓部における筆記空間が拡大する。
（４）且つ、貼付部の面積が縮小されるため、文章の行間に貼り付けて使用することが可能となる。且つ、折り曲げが可能なことから、原紙上の文章の閲覧に影響を及ぼすことなく、付箋による文章中への記録や注記が可能となる。
【００１２】
前記折り目がミシン目カッターにより形成される場合、付箋本体の貼付部を残したまま付箋本体の可撓部を引き剥がせるため、貼付部を単体で注記又はその他用途に使用可能となる。
【課題を解決するための手段】
【００１３】
上記の目的を達成するために、本発明が提供する折り目付き付箋は、付箋本体、接着剤層及び少なくとも１つの折り目を含む。付箋本体は、貼付部と、貼付部に隣接して設けられる可撓部を備え、接着剤層が貼付部に設けられ、且つ、少なくとも１つの折り目が、貼付部のみか、貼付部と可撓部の間か、或いは可撓部における貼付部に隣接する領域内に選択的に設けられる。
【００１４】
上記の目的を達成するために、少なくとも１つの折り目が可撓部における当該領域に設けられる場合、可撓部における当該領域は貼付部に隣接し、且つ、当該領域が１〜１０ｍｍの幅を有する。
【００１５】
上記の目的を達成するために、本発明の折り目付き付箋が具備する接着剤層は、繰り返し貼付可能な接着剤層である。
【００１６】
上記の目的を達成するために、本発明の折り目付き付箋が具備する可撓部は筆記可能領域を有する。
【００１７】
上記の目的を達成するために、本発明の折り目付き付箋が具備する少なくとも１つの折り目は、貼付部に設けられる接着剤層が特定の幅を有するよう、ミシン目カッター又はプレスにより形成される。
【００１８】
上記の目的を達成するために、本発明の折り目付き付箋が具備する特定の幅は、３〜２０ｍｍの間である。
【００１９】
上記の目的を達成するために、本発明の折り目付き付箋が具備する特定の幅は、５ｍｍ、７ｍｍ及び１０ｍｍである。
【００２０】
上記の目的を達成するために、本発明の折り目付き付箋が具備する付箋本体は、捲り付箋、しおり付箋又は小冊子付箋である。
【００２１】
上記の目的を達成するために、本発明の折り目付き付箋が具備するしおり付箋における貼付部は、接着剤層を介して書籍の表紙又は裏表紙に貼付可能であり、且つ、折り線によって容易に折り曲げ可能なことから、可撓部を注記のために折り曲げて書籍における特定ページへ差し込み可能である。
【００２２】
上記の目的を達成するために、本発明の折り目付き付箋が具備するしおり付箋における可撓部は、折り曲げ部分と差し込み部分を更に備えるとともに、折り曲げ部分と差し込み部分がそれぞれ異なる形状及び外観を有する。
【００２３】
上記の目的を達成するために、本発明の折り目付き付箋が具備する折り目は貼付部の領域縮小に資する。これにより、折り目付き付箋は、メモ又は書籍隙間からの挟み込み機能や、両面筆記機能の増加、又は、文章における行間への貼付及び注記が可能となり、付箋従来の機能を拡大することで新たな形態の付箋が創造される。
【００２４】
上記の目的、技術的特徴及び利点がより明瞭となるように、以下では好ましい実施例と図面を組み合わせて詳細に説明する。
【００２５】
なお、本文で使用される「付箋」との用語は関連の技術内容を記載するためのものである。当業者であれば、例えば「糊付きシート」、「糊付き付箋」、「粘着付箋」、「糊付きメモ用紙」又は「インデックスシール」等の用語を前記付箋の代わりに用いてもよいことは容易に理解できる。
【図面の簡単な説明】
【００２６】
【図１】本発明における折り目付き付箋の第１実施例を示す図である。
【図２】本発明における折り目付き付箋の第２実施例を示す図である。
【図３】本発明における折り目付き付箋の第３実施例を示す図である。
【図４】本発明の折り目付き付箋が具備する付箋本体がしおり付箋である場合に、当該しおり付箋の貼付部が書籍に貼り付けられた状況を示す図である。
【図５】本発明の折り目付き付箋が具備する付箋本体がしおり付箋である場合に、当該しおり付箋の可撓部が折り曲げられた状況を示す図である。
【図６】本発明の折り目付き付箋が具備する付箋本体がしおり付箋である場合の使用状況を示す図である。
【図７】本発明の折り目付き付箋が具備する付箋本体が捲り付箋である場合の使用状況を示す図である。
【発明を実施するための形態】
【００２７】
図１に示すように、本発明における折り目付き付箋の第１実施例を示す図において、折り目付き付箋１００は、付箋本体１１０、接着剤層１２０及び折り目１３０を含む。
付箋本体１１０は、貼付部１１２及び貼付部１１２に隣接して設けられる可撓部１１４を備え、接着剤層１２０は貼付部１１２に設けられる。且つ、折り目１３０は貼付部１１２と可撓部１１４の間に設けられて、貼付部１１２と可撓部１１４を分割する。前記可撓部１１４は、いわゆる湾曲や撓りに供される部分である。
【００２８】
図示するように、本発明において、可撓部１１４は使用者による筆記や注記作業のための筆記可能領域１１４ａを備える。
【００２９】
本発明の折り目付き付箋１００は、折り目１３０がプレス又はミシン目カッターにより形成されることを特徴とする。このほか、本発明の折り目付き付箋１００は、更に、貼付部１１２に設けられる接着剤層１２０が特定の幅を備え、当該特定の幅が従来技術の付箋に用いられる接着剤層の幅よりも小さいにもかかわらず、依然として特定物の表面に対する本発明の折り目付き付箋１００の貼付寿命を効果的に維持可能であることを特徴とする。
【００３０】
これより、本発明における折り目付き付箋１００の折り目１３０はプレス又はミシン目カッターにより形成されることから、貼付部１１２と可撓部１１４の間に設けられる折り目１３０は、曲げ応力の貼付部１１２から可撓部１１４への広がりや、可撓部１１４から貼付部１１２への広がりを遮断する作用を有する。
【００３１】
詳細に述べると、本発明の折り目付き付箋１００を使用する場合、付箋本体１１０が具備する貼付部１１２が接着剤層１２０を介して特定物の表面に貼り付けられる。すると、用紙の使用特性に伴い、外力が加わらない状況において、接着剤層１２０が設けられていない可撓部１１４には、貼付部１１２から離れた隅部を起点として撓り現象が現れ始める。
【００３２】
続いて、同様に外力が加わらない状況において、当該撓り現象により生じた曲げ応力は、可撓部１１４における貼付部１１２から離れた隅部を起点として徐々に貼付部１１２に向かって広がり始める。しかし、当該曲げ応力はミシン目カッターにより形成された折り目１３０まで広がると、ミシン目カッターによって付箋本体１１０に切り込まれた複数の隙間（又はスリットと称する）からなる折り目１３０に阻まれて、接着剤層１２０が設けられた貼付部１１２まで進み続けることができなくなる。
【００３３】
結果、ミシン目カッターにより形成された折り目１３０が貼付部１１２に対する曲げ応力の影響を遮断するために用いられることから、従来技術における接着剤層の設置領域の縮小が可能となる。また、接着剤の使用量が減るにもかかわらず、依然として特定物の表面に対する本発明の折り目付き付箋１００の貼付寿命を維持もしくは延長可能となる。
【００３４】
同様の理由で、折り目１３０がプレスにより形成される場合にも、同じく貼付部１１２に対する曲げ応力の影響を遮断可能であり、従来技術における接着剤層の設置領域を縮小できる。また、特定物の表面に対する本発明の折り目付き付箋１００の貼付寿命が延長される。
【００３５】
実験結果によれば、一の実施例において、貼付部１１２に設けられた接着剤層１２０が有する特定の幅は、３〜２０ｍｍの間であった。且つ、好ましい実施例において、貼付部１１２に設けられた接着剤層１２０が有する特定の幅は、５ｍｍ、７ｍｍ又は１０ｍｍであった。
【００３６】
これより、従来技術と比較して、本発明における折り目付き付箋１００によれば、より少量の接着剤層１２０で特定物の表面に対する付箋の貼付寿命を維持もしくは延長可能となる。また、プレス又はミシン目カッターにより形成される折り目１３０が曲げ応力の遮断に用いられることから、本発明における折り目付き付箋１００が有する可撓部１１４は、正面と裏面双方への筆記に適用可能となる（即ち、筆記可能領域１１４ａが可撓部１１４の正面／裏面を含む）。さらに、可撓部１１４が貼付部１１２に対して９０度の夾角をなすよう折り曲げられた場合であっても、貼付部１１２と特定物の表面との貼付関係はそのまま維持される。
【００３７】
そのほか、上記実施例では単一の折り目１３０が設けられる態様についてのみ述べたが、当業者であれば、単一の折り目１３０の態様を複数の折り目１３０へと展開することは容易である。よって、付箋本体１１０に複数の折り目１３０が設けられる態様もまた、本発明が保護を請求する範囲である。
【００３８】
図２の第２実施例に示すように、貼付部１１２と可撓部１１４の間に設けられる折り目１３０を貼付部１１２にのみ存在するよう変更してもよい。図２に示される折り目付き付箋１００の第２実施例であっても同様に、曲げ応力の貼付部１１２から可撓部１１４への広がりや、可撓部１１４から貼付部１１２への広がりを遮断する作用が奏される。
【００３９】
また、図３の第３実施例に示すように、折り目１３０を可撓部１１４における貼付部１１２と隣接する応力遮断領域１１４ｂ内に設けてもよい。これによれば、上述の曲げ応力の貼付部１１２から可撓部１１４への広がりや、可撓部１１４から貼付部１１２への広がりを遮断する作用が奏される。
図３に示すように、応力遮断領域１１４ｂは可撓部１１４の一部であるとともに、貼付部１１２に隣接する領域である。このほか、図３に示すように、応力遮断領域１１４ｂは１〜１０ｍｍの幅を有することが好ましい。
【００４０】
以下に、本発明における折り目付き付箋１００が具備する付箋本体１１０がしおり付箋２１０である場合の実施例について説明する。
【００４１】
図４に示すように、しおり付箋２１０は、貼付部２１２と、貼付部２１２に隣接して設けられる可撓部２１４を備える。よって、接着剤層１２０を貼付部２１２に設けると、しおり付箋２１０の一端部に属する貼付部２１２は、接着剤層１２０を介して書籍３００の表紙／裏表紙３１０に貼付可能となる。
また、図５に示すように、しおり付箋２１０の他端部に属する可撓部２１４は、注記のために折り曲げられて書籍３００における特定ページ３２０に差し込むことが可能である。
【００４２】
これより、読者は書籍３００を特定箇所又は特定ページ３２０まで読み進んだ後、図５に示すように、可撓部２１４を折り曲げて書籍３００の特定ページ３２０に差し込み、注記してから書籍３００を閉じれば、後日読書を再開する際に便利である。
【００４３】
本発明では、しおり付箋２１０が具備する接着剤層２２０は繰り返し貼付可能な接着剤層であるため、繰り返し貼付して使用可能との特性をしおり付箋２１０に持たせることができる。また、繰り返し貼付可能な接着剤層は、しおり付箋２１０の貼付及び剥離過程において、書籍３００の表紙／裏表紙３１０又はその他の特定ページ３２０の損傷回避に資する。
【００４４】
なお、図３に示す実施形態において、しおり付箋２１０は矩形形状を有する。且つ、前記接着剤層１２０の特定の幅を限定することで、貼付部２１２は使用期間において書籍３００の表紙／裏表紙３１０に対し良好な貼付効果を持ち得るため、しおり付箋２１０が書籍３００から剥離する状況が効果的に防止される。
【００４５】
また、本発明におけるしおり付箋２１０は上述の矩形形状のほかに、その他の外観形状を変形態様として備えてもよい。
【００４６】
図７に示すように、本発明における折り目付き付箋１００が具備する付箋本体１１０は、「捲り付箋」の態様をとってもよい。
【００４７】
詳細に述べると、図７に示すような「捲り付箋」態様では、貼付部１１２と可撓部１１４の間に単一の折り目１３０だけが設けられる。この場合、折り目１３０を折り曲げて、折り目１３０を書籍３００における２枚の特定ページ３２０の合わせ目にちょうど配置すれば、書籍の内容を覆い隠すことなく合わせ目付箋を貼付できる。且つ、更に図示するように、可撓部１１４の正面と裏面のいずれにも重要事項を注記することが可能なため、合わせ目付箋における筆記利用率が向上する。
【００４８】
なお、本発明の折り目付き付箋の外観形状については、図１に示すような矩形外観のほかに、三角形、円形、正方形又はその他の不規則形状といった別の外観や、これらの組み合わせとしてもよい。よって、上述の外観形状及びこれらの組み合わせは、いずれも本発明における折り目付き付箋が保護を請求する範囲に含まれる。
【００４９】
以上述べたように、本発明の折り目付き付箋における少なくとも１つの折り目を配置すれば、接着剤層が設けられていない隅部から付箋が撓り始めた場合に、当該撓りが接着剤層まで広がることがなくなる。よって、従来技術のように、長時間使用するうちに付箋が特定物の表面から剥離する現象が効果的に回避される。
また、本発明の折り目付き付箋における少なくとも１つの折り目を配置すれば、少量の接着剤層のみを塗布した状況で、少なくとも１つの折り目に沿った可撓部の９０度又は１８０度の屈曲が許容されるとともに、可撓部の屈曲後に生じる浮き上がり現象が接着剤層まで広がる状況が回避される。
【００５０】
以上より、本発明の折り目付き付箋１００を用いる場合、以下のような利点がある。
（１）可撓部の湾曲張力が低下し、貼付部の粘着性が長期的且つ安定的に保たれる効果が得られる。
（２）接着ラインの使用面積が縮小するにもかかわらず、依然として付箋の粘着性が保たれる（現在市販されている付箋の場合、貼付部の幅が約１２ｍｍ以上でなければ効果的な粘着が不可能なのに対し、本発明の折り目を用いた製造法によれば、貼付部の幅を３ｍｍまで縮小しても粘着性と安定性を維持可能となる）。
（３）折り目を追加する製造法によれば、付箋は谷折りが容易である機能を備えることになり、可撓部を捲ったり両面を使用したりするのにいっそう便利となる。更に、貼付部が縮小されるため、裏面可撓部における筆記空間が拡大する。
（４）且つ、貼付部の面積が縮小されるため、文章の行間に貼り付けて使用することが可能となる。且つ、折り曲げが可能なことから、原紙上の文章の閲覧に影響を及ぼすことなく、付箋による文章中への記録や注記が可能となる。
【００５１】
更に、少なくとも１つの折り目がミシン目カッターにより形成される場合、本発明の折り目付き付箋は、（１）当該少なくとも１つの折り目に沿って付箋本体の可撓部を容易に谷折り可能である、（２）付箋本体の貼付部を残したまま付箋本体の可撓部を引き剥がしやすい、（３）少なくとも１つの折り目に沿って折り曲げ可能なため、付箋本体の可撓部がより安定的な捲り付箋としての用途を備える、等の使用方式を有する。
【００５２】
以上の実施例は本発明の実施形態を例示し、本発明の技術的特徴を詳細に説明するためのものにすぎず、本発明の保護の範囲を限定するものではない。当業者によって容易に遂行し得る変更や等価の配置は、いずれも本発明が主張する範囲に含まれる。本発明が保護を請求する権利範囲は、特許請求の範囲に準ずる。
【符号の説明】
【００５３】
１００    折り目付き付箋
１１０    付箋本体
１１２    貼付部
１１４    可撓部
１１４ａ  筆記可能領域
１１４ｂ  応力遮断領域
１２０    接着剤層
１３０    折り目
２１０    しおり付箋
２１２    貼付部
２１４    可撓部
３００    書籍
３１０    表紙／裏表紙
３２０    特定ページ
【図１】
2019051722.tif 000003
【図２】
2019051722.tif 000004
【図３】
2019051722.tif 000005
【図４】
2019051722.tif 000006
【図５】
2019051722.tif 000007
【図６】
2019051722.tif 000008
【図７】
2019051722.tif 000009